(57)【要約】  【課題】布地同士の接合及び分解が容易な布地の接合分離構造及び該布地の接合分離構造を用いて接合された布地を含む装身具及びインテリア用品を提供する。  【解決手段】一方の布地に取り付けられる雌パーツ１０に予め形成された挿通孔１３と、他方の布地に取り付けられる雌パーツ２０に予め形成された挿通孔２３とに、雄パーツ３０を交互に挿通することにより、布地同士を容易に接合でき、該挿通孔から雄パーツを引き抜くことにより、布地同士を容易に分離できるので、任意の布地を自由に組み合わせて自由なデザインの装身具やインテリア用品を創出することができる。【選択図】        図１【特許請求の範囲】
【請求項１】
互いに接合された装身具用の一方の布地と他方の布地とを分離した後に、当該各布地とは異なる別の装身具用の布地と再度接合することにより、当該各布地を再利用するための構造であって、
複数の挿通孔が予め形成され、前記一方の布地に取り付けられる一方の被挿通部材と、
複数の挿通孔が予め形成され、前記他方の布地に取り付けられる他方の被挿通部材と、
前記挿通孔に挿通可能な挿通部材と、からなり、
該挿通部材を、前記一方の布地に取り付けられた前記一方の被挿通部材の挿通孔と、前記他方の布地に取り付けられた前記他方の被挿通部材の挿通孔とに挿通することにより、当該一方の布地と他方の布地とが接合され、該挿通部材を前記挿通孔から引き抜くことにより、当該一方の布地と他方の布地とが分離されることを特徴とする布地の接合分離構造。
【請求項２】
互いに接合されたインテリア用品用の一方の布地と他方の布地とを分離した後に、当該各布地とは異なる別のインテリア用品用の布地と再度接合することにより、当該各布地を再利用するための構造であって、
複数の挿通孔が予め形成され、前記一方の布地に取り付けられる一方の被挿通部材と、
複数の挿通孔が予め形成され、前記他方の布地に取り付けられる他方の被挿通部材と、
前記挿通孔に挿通可能な挿通部材と、からなり、
該挿通部材を、前記一方の布地に取り付けられた前記一方の被挿通部材の挿通孔と、前記他方の布地に取り付けられた前記他方の被挿通部材の挿通孔とに挿通することにより、当該一方の布地と他方の布地とが接合され、該挿通部材を前記挿通孔から引き抜くことにより、当該一方の布地と他方の布地とが分離されることを特徴とする布地の接合分離構造。
【請求項３】
請求項１又は２に記載した布地の接合分離構造であって、
一本の前記挿通部材を、前記一方の布地に取り付けられた前記一方の被挿通部材の挿通孔と、前記他方の布地に取り付けられた前記他方の被挿通部材の挿通孔とに交互に挿通することにより、前記一方の布地と前記他方の布地とが接合されることを特徴とする布地の接合分離構造。
【請求項４】
請求項１又は２に記載した布地の接合分離構造であって、
前記一方の布地に取り付けられた前記一方の被挿通部材と、前記他方の布地に取り付けられた前記他方の被挿通部材とを重ね合わせた状態で、前記挿通部材を当該一方の被挿通部材の挿通孔と当該他方の被挿通部材の挿通孔とに挿通することにより、前記一方の布地と前記他方の布地とが接合されることを特徴とする布地の接合分離構造。
【請求項５】
請求項１又は２に記載した布地の接合分離構造であって、
前記被挿通部材は、複数のループ孔が一直線上で立体的に形成されたニット地を当該直線に沿って折り曲げてなり、各ループ孔が前記挿通孔を構成するものであることを特徴とする布地の接合分離構造。
【請求項６】
請求項１又は２に記載した布地の接合分離構造であって、
前記一方の被挿通部材が前記一方の布地と一体に形成されてなり、
前記他方の被挿通部材が前記他方の布地と一体に形成されてなることを特徴とする布地の接合分離構造。
【請求項７】
請求項１に記載した布地の接合分離構造を用いて接合された装身具用の布地を含むことを特徴とする装身具。
【請求項８】
請求項２に記載した布地の接合分離構造を用いて接合されたインテリア用品用の布地を含むことを特徴とするインテリア用品。
【発明の詳細な説明】
【技術分野】
【０００１】
本発明は、互いに接合された装身具用又はインテリア用品用の一方の布地と他方の布地とを分離した後に、当該各布地とは異なる別の装身具用又はインテリア用品用の布地と再度接合することにより、当該各布地を再利用するための布地の接合分離構造，並びに該布地の接合分離構造を用いて接合された布地を含む装身具又はインテリア用品に関する。
【背景技術】
【０００２】
従来より、例えば被服を製造する場合には、一定のデザインに従ってパターン（型）を作り、該パターンに従って素材（例えば布地）をカット等してパターンパーツを作り、該パターンパーツ同士をミシン縫いや手縫い等により縫合し、必要に応じて仕上げ及び後加工をして、デザイン（カタチ）が完成する、という製造システムが採用されていた。ここで布地の縫合方法としては、例えば特許文献１や特許文献２に示すものが知られている。また特許文献３には、工業用搬送ベルト等として用いられる有端状織物の両端に経糸と直行する幅方向に沿って設けた継手部分同士を互いに接合することで無端状とする旨が開示されている。【０００３】
【特許文献１】特開平１１−２４４６１５号公報（図１〜図４）
【特許文献２】特開平９−１９５１５８号公報（図１）
【特許文献３】特開２００５−９７８０５号公報（請求項１２，図９）
【発明の開示】
【発明が解決しようとする課題】
【０００４】
しかしながら、前述のような従来の被服の製造システムにおいては、完成したデザインは半永久的であり、該デザインを容易に変更することはできず、一製品のデザインは一種類に限られていた。またパターンに従って素材をカットするということは、素材に無駄な部分を作ってしまうことでもあり、特に平面素材から立体物を作る場合にその無駄が顕著であった。【０００５】
また場合によっては、古着等のユーズド製品をリメイク加工してリデザインすることがあるが、前述のような従来の被服の製造システムにおいては、予めリメイク加工するという概念がないため、新たなデザインに従ってユーズド製品をカットしたり縫合をほどいたりすることにより、該ユーズド製品を材料として新たな製品を製造しているに過ぎなかった。このリメイク加工においても、新たなデザインに従ってユーズド製品をカットすると、廃棄部分が出てしまって無駄であり、またユーズド製品を構成する布地同士が縫合されていると、該縫合をほどくのが困難かつ面倒であると共に、縫合痕としての孔が残って布地に傷が付くため、リメイク加工にはいっそう不向きであった。【０００６】
また同じ素材からできた被服であっても、例えば男性服と女性服，及び大人服と子供服等は、それぞれ別カテゴリーの製品として売られていた。さらにメーカーで製造される既製品の被服では、デザインの好みやサイズ等を各人に完全に合わせられるわけではない一方、オートクチュールやオーダーメイド等で製造される被服ならば、デザインの好みやサイズ等を各人に完全に合わせられるが、時間及び費用が莫大にかかるため産業としてのシェアは年々狭くなっている。【０００７】
上記の如き問題点を解決するためには、布地同士の接合及び分離を容易にし、任意の布地を自由に組み合わせて自由なデザインを創出することが考えられ、そのための布地の接合方法としては、従来より、例えば各種ファスナー（特にオープンファスナー），ボタンとボタン穴，スナップボタンの凹部と凸部，及び面ファスナーのフックとループ等が知られている。【０００８】
しかしながら、これら従来の布地の接合方法は、通常は「あき」としての機能を果たすために利用されるものであるため、布地と異なる材質（即ち金属やプラスチック等）であっても受け入れられているが、該材質の硬さや異質感は拭い去ることができず、また使用部位や取付方法に一定の制約がある。また、これら従来の布地の接合方法では、その構成部品を布地に対して取り付けるために、布地に孔をあける，布地に縫いつける，又は布地に接着する等が行われるため、布地に必要以上の傷を付けてしまい、リメイク加工には不向きである。【０００９】
また特許文献３に示される布地の接合方法は、有端状織物の両端を接合して無端状とするためのものであり、互いに接合された第１の布地と第２の布地を分離した後に、当該各布地とは異なる別の布地と再度接合する（例えば第１の布地を第３の布地と接合し、また第２の布地を第４の布地と再度接合する）ことにより、当該各布地を再利用しうるものではない。【００１０】
本発明は、このような背景のもとになされたものであり、その目的は、布地同士の接合及び分解が容易な布地の接合分離構造及び該布地の接合分離構造を用いて接合された布地を含む装身具及びインテリア用品を提供することにある。
【課題を解決するための手段】
【００１１】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。【００１２】
まず請求項１に係る発明は、互いに接合された装身具用の一方の布地と他方の布地とを分離した後に、当該各布地とは異なる別の装身具用の布地と再度接合することにより、当該各布地を再利用するための構造であって、複数の挿通孔（１３，１３’）が予め形成され、前記一方の布地に取り付けられる一方の被挿通部材（雌パーツ１０，１０’）と、複数の挿通孔（２３，２３’）が予め形成され、前記他方の布地に取り付けられる他方の被挿通部材（雌パーツ２０，２０’）と、前記挿通孔に挿通可能な挿通部材（雄パーツ３０）と、からなり、該挿通部材を、前記一方の布地に取り付けられた前記一方の被挿通部材の挿通孔と、前記他方の布地に取り付けられた前記他方の被挿通部材の挿通孔とに挿通することにより、当該一方の布地と他方の布地とが接合され、該挿通部材を前記挿通孔から引き抜くことにより、当該一方の布地と他方の布地とが分離されることを特徴とする布地の接合分離構造（１，１’）である。【００１３】
また請求項２に係る発明は、互いに接合されたインテリア用品用の一方の布地と他方の布地とを分離した後に、当該各布地とは異なる別のインテリア用品用の布地と再度接合することにより、当該各布地を再利用するための構造であって、複数の挿通孔（１３，１３’）が予め形成され、前記一方の布地に取り付けられる一方の被挿通部材（雌パーツ１０，１０’）と、複数の挿通孔（２３，２３’）が予め形成され、前記他方の布地に取り付けられる他方の被挿通部材（雌パーツ２０，２０’）と、前記挿通孔に挿通可能な挿通部材（雄パーツ３０）と、からなり、該挿通部材を、前記一方の布地に取り付けられた前記一方の被挿通部材の挿通孔と、前記他方の布地に取り付けられた前記他方の被挿通部材の挿通孔とに挿通することにより、当該一方の布地と他方の布地とが接合され、該挿通部材を前記挿通孔から引き抜くことにより、当該一方の布地と他方の布地とが分離されることを特徴とする布地の接合分離構造（１，１’）である。【００１４】
また請求項３に係る発明は、請求項１又は２に記載した布地の接合分離構造（１，１’）であって、一本の前記挿通部材（雄パーツ３０）を、前記一方の布地に取り付けられた前記一方の被挿通部材（雌パーツ１０，１０’）の挿通孔（１３，１３’）と、前記他方の布地に取り付けられた前記他方の被挿通部材（雌パーツ２０，２０’）の挿通孔（２３，２３’）とに交互に挿通することにより、前記一方の布地と前記他方の布地とが接合されることを特徴とする布地の接合分離構造である。【００１５】
また請求項４に係る発明は、請求項１又は２に記載した布地の接合分離構造（１’）であって、前記一方の布地に取り付けられた前記一方の被挿通部材（雌パーツ１０’）と、前記他方の布地に取り付けられた前記他方の被挿通部材（雌パーツ２０’）とを重ね合わせた状態で、前記挿通部材（雄パーツ３０）を当該一方の被挿通部材の挿通孔（１３’）と当該他方の被挿通部材の挿通孔（２３’）とに挿通することにより、前記一方の布地と前記他方の布地とが接合されることを特徴とする布地の接合分離構造である。【００１６】
また請求項５に係る発明は、請求項１又は２に記載した布地の接合分離構造（１）であって、前記被挿通部材（雌パーツ１０，２０）は、複数のループ孔（１３ａ，２３ａ）が一直線上で立体的に形成されたニット地を当該直線に沿って折り曲げてなり、各ループ孔が前記挿通孔（１３，２３）を構成するものであることを特徴とする布地の接合分離構造である。【００１７】
また請求項６に係る発明は、請求項１又は２に記載した布地の接合分離構造（１，１’）であって、前記一方の被挿通部材（雌パーツ１０，１０’）が前記一方の布地と一体に形成されてなり、前記他方の被挿通部材（雌パーツ２０，２０’）が前記他方の布地と一体に形成されてなることを特徴とする布地の接合分離構造である。【００１８】
また請求項７に係る発明は、請求項１に記載した布地の接合分離構造（１，１’）を用いて接合された装身具用の布地を含むことを特徴とする装身具（被服１００，１１０，１２０，１３０，１４０，１５０，１６０，１７０）である。【００１９】
さらに請求項８に係る発明は、請求項２に記載した布地の接合分離構造（１，１’）を用いて接合されたインテリア用品用の布地を含むことを特徴とするインテリア用品である。
【発明の効果】
【００２０】
まず請求項１〜６に係る布地の接合分離構造によれば、一方の布地に取り付けられる一方の被挿通部材に予め形成された挿通孔と他方の布地に取り付けられる他方の被挿通部材に予め形成された挿通孔とに挿通部材が挿通されることにより、布地同士が容易に接合されると共に、該挿通孔から挿通部材が引き抜かれることにより、布地同士が容易に分離されるので、互いに接合された一方の布地と他方の布地とを分離した後に、当該各布地とは異なる別の布地と再度接合することにより、当該各布地を再利用することができ、任意の布地を自由に組み合わせて自由なデザインを創出することができる。【００２１】
また請求項７に係る装身具又は請求項８に係るインテリア用品によれば、前記布地の接合分離構造を用いて接合された布地を含むことにより、布地同士が容易に接合されると共に、布地同士が容易に分離されるので、互いに接合された一方の布地と他方の布地とを分離した後に、当該各布地とは異なる別の布地と再度接合することにより、当該各布地を再利用することができ、任意の布地を自由に組み合わせて自由なデザインの装身具又はインテリア用品を創出することができる。
【発明を実施するための最良の形態】
【００２２】
本発明は、図１及び図５に示すように、互いに接合された装身具用又はインテリア用品用の一方の布地と他方の布地とを分離した後に、当該各布地とは異なる別の装身具用又はインテリア用品用の布地と再度接合することにより、当該各布地を再利用するための構造であって、複数の挿通孔１３，１３’が予め形成され、一方の布地に取り付けられる一方の被挿通部材（雌パーツ１０，１０’）と、複数の挿通孔２３，２３’が予め形成され、他方の布地に取り付けられる他方の被挿通部材（雌パーツ２０，２０’）と、前記挿通孔に挿通可能な挿通部材（雄パーツ３０）と、からなる布地の接合分離構造１，１’である。ここで布地には、織物，編物（ニットやジャージ等），フェルト，不織布等の、繊維からなるいわゆる布地以外にも、各種皮革や、ビニール地，ポリエステル地，プラスチック等の、軟質のシート状部材も含まれる。また接合される一方の布地の材質と他方の布地の材質とが異なっていても良い。【００２３】
また本発明は、前記布地の接合分離構造１，１’を用いて接合された装身具用の布地を含む装身具である。ここで装身具とは、例えば人間用の被服（図７〜図１５に示す被服１００，１１０，１２０，１３０，１４０，１５０，１６０，１７０），各種アクセサリー，バッグ，靴，又は帽子等の、人間又は動物が直接的に身に着けるものや、キーホルダー，又は携帯電話のカバー等の、人間が間接的に身に着けるものであって、布地により全部又は一部が形成されるものである。さらに本発明は、前記布地の接合分離構造１，１’を用いて接合されたインテリア用品用の布地を含むインテリア用品である。ここでインテリア用品とは、例えばソファ，カーテン，カーペット，寝具等の室内に配置されるものや、それらのカバーであって、布地により全部又は一部が形成されるものである。【００２４】
ここで本発明に係る布地の接合分離構造には、図１に示すように、ベース部１１，２１から複数突設された環状突起１２，２２の各々に前記挿通孔１３，２３が形成されている被挿通部材（雌パーツ１０，２０）を使用する、第１実施形態に係る布地の接合分離構造１と、図５に示すように、ベース部１１’，２１’自体に前記挿通孔１３’，２３’が複数形成されている被挿通部材（雌パーツ１０’，２０’）を使用する、第２実施形態に係る布地の接合分離構造１’と、が含まれる。以下においては、まず第１実施形態に係る布地の接合分離構造１について説明し、次に第２実施形態に係る布地の接合分離構造１’について第１実施形態と異なる点のみ説明し、次に第１実施形態に係る布地の接合分離構造１又は第２実施形態に係る布地の接合分離構造１’を用いて接合された布地を含む被服について説明し、最後に布地の接合分離構造の変形例について説明する。【００２５】
［１．第１実施形態に係る布地の接合分離構造１］
第１実施形態に係る布地の接合分離構造１は、図１（ａ）に示すように、雌パーツ１０，雌パーツ２０，及び雄パーツ３０の３点からなる。【００２６】
雌パーツ１０は一方の被挿通部材の一例であって、複数の挿通孔１３が予め形成され、一方の布地に取り付けられるものである。ここでの雌パーツ１０は、図１（ａ）に示すように、ベース部１１から複数突設された環状突起１２の各々に挿通孔１３が形成されており、ミシン縫いや手縫い等による縫合又は接着等により一方の布地に取り付けられる。この雌パーツ１０は、図１（ｂ）の左側に示すように、ロール状に巻回されている状態で商店に供給され、任意の長さにカットされて販売される。【００２７】
ベース部１１は、図１（ａ）に示すように、所定長さにカットされた幅広紐状の部位である。このベース部１１の幅は任意であり、例えば図２（ａ）の左側に示すように、幅広のベース部１１であっても良く、また図２（ａ）の右側に示すように、幅狭のベース部１１であっても良い。またベース部１１の形状も任意であり、例えば図２（ｂ）に示すように、環状突起１２が突設されている反対側縁が波形状のベース部１１であっても良く、また図２（ｃ）に示すように、曲線に合わせやすいように、全体がカーブ状のベース部１１であっても良く、また図示しないが、斜め方向（バイアス）にカットしたベース部１１であっても良い。さらに図示しないが、ベース部１１の色や柄も任意である。このベース部１１の材質は、雌パーツ１０が取り付けられる布地の材質と同質の材質であっても異質の材質であっても良い。【００２８】
環状突起１２は、図１（ａ）に示すように、ベース部１１の一方縁から複数突設された中空円筒状の部位である。挿通孔１３は、図１（ａ）に示すように、雄パーツ３０を挿通可能な孔であり、ここでは各環状突起１２の中空部分である。この環状突起１２の長さは任意であり、例えば図２（ｄ）の左側に示すように、比較的長めの（高さが高い）環状突起１２であっても良く、また図２（ｄ）の右側に示すように、比較的短めの（高さが低い）環状突起１２であっても良い。また図示しないが、環状突起１２同士の間隔も任意である。また環状突起１２の形状も任意であり、例えば図２（ｅ）に示すように、ループ状の紐からなる中空円状の環状突起１２であっても良い。さらに図示しないが、環状突起１２の色や柄も任意である。この環状突起１２の材質も、雌パーツ１０が取り付けられる布地の材質と同質の材質であっても異質の材質であっても良い。【００２９】
雌パーツ２０は他方の被挿通部材の一例であって、複数の挿通孔２３が予め形成され、他方の布地に取り付けられるものである。ここでの雌パーツ２０は、図１（ａ）に示すように、ベース部２１から複数突設された環状突起２２の各々に挿通孔２３が形成されており、ミシン縫いや手縫い等による縫合又は接着等により他方の布地に取り付けられる。この雌パーツ２０も、図１（ｂ）の左側に示すように、雌パーツ１０と同様にして、ロール状に巻回されている状態で商店に供給され、任意の長さにカットされて販売される。【００３０】
ベース部２１は、図１（ａ）に示すように、所定長さにカットされた幅広紐状の部位である。このベース部２１の幅，形状，色や柄，及び材質が任意である点は、ベース部１１と同様である。環状突起２２は、図１（ａ）に示すように、ベース部２１の一方縁から複数突設された中空円筒状の部位である。挿通孔２３は、図１（ａ）に示すように、雄パーツ３０を挿通可能な孔であり、ここでは各環状突起２２の中空部分である。この環状突起２２の長さ，間隔，形状，色や柄，及び材質が任意である点は、環状突起１２と同様である。【００３１】
雄パーツ３０は、挿通部材の一例であって、挿通孔１３，２３に挿通可能なものである。ここでの雄パーツ３０は、図１（ａ）に示すように、軟質の紐状部材（糸，紐，ゴム紐，チェーン等）である。この雄パーツ３０は、図１（ｂ）の右側に示すように、ロール状に巻回されている状態で商店に供給され、任意の長さにカットされて販売される。この雄パーツ３０の形状は任意であり、例えば図２（ｆ）に示すように、巻バネのような螺旋状であっても良く、また図示しないが、丸形（真円形，楕円形を含む）の断面形状でなく角形（三角形，四角形，星形等を含む）の断面形状であっても良く、さらに細麺状でなく平打ち麺状であっても良い。さらに図示しないが、雄パーツ３０の色や柄も任意である。【００３２】
そして布地の接合分離構造１においては、この雄パーツ３０を、一方の布地（図示外）に取り付けられた雌パーツ１０の挿通孔１３と、他方の布地（図示外）に取り付けられた雌パーツ２０の挿通孔２３とに挿通することにより、一方の布地と他方の布地が接合され、該雄パーツ３０を挿通孔１３，２３から引き抜くことにより、一方の布地と他方の布地とが分離される。【００３３】
まず図３（ａ）に示す例では、環状突起１２と環状突起２２とが対峙するように雌パーツ１０と雌パーツ２０とを並列に向かい合わせて並べた状態で、一本の雄パーツ３０を雌パーツ１０に形成される挿通孔１３と雌パーツ２０に形成される挿通孔２３とに交互に挿通する。具体的には、雌パーツ１０に形成される挿通孔１３を上から順にＡ，Ｂ，Ｃとし、雌パーツ２０に形成される挿通孔２３を上から順にａ，ｂ，ｃとした場合に、雄パーツ３０を、下から上に向けてＣ，ｂ，Ａの順に交互に挿通した後に折り返して、上から下に向けてａ，Ｂ，ｃの順に交互に挿通する。そして雄パーツ３０を結束して、布地の接合分離構造１とする。【００３４】
ここで雄パーツ３０の結束の位置や方法は任意であり、例えば図３（ａ）の右上側に示すように、布地の接合分離構造１の上側で雄パーツ３０を蝶結び等しても良く、また図３（ａ）の右下側に示すように、布地の接合分離構造１の下側で雄パーツ３０を蝶結び等しても良い。これによれば、雄パーツ３０の結束によって新たなデザインを創出することができる。【００３５】
また図３（ｂ）に示す例では、環状突起１２と環状突起２２とが上下方向に交互に連接するように雌パーツ１０と雌パーツ２０とを並列に向かい合わせて並べた状態で、一本の雄パーツ３０を雌パーツ１０に形成される挿通孔１３と雌パーツ２０に形成される挿通孔２３とに交互に挿通する。具体的には、雌パーツ１０に形成される挿通孔１３を上から順にＡ，Ｂ，Ｃとし、雌パーツ２０に形成される挿通孔２３を上から順にａ，ｂ，ｃとした場合に、雄パーツ３０を上から下に向けてＡ，ａ，Ｂ，ｂ，Ｃ，ｃの順に交互に挿通する。そして雄パーツ３０を結束して、布地の接合分離構造１とする。【００３６】
ここで雄パーツ３０の結束の位置や方法は任意であり、例えば図３（ｂ）の右上側に示すように、環状突起１２を絡めずに雄パーツ３０を玉結び等しても良く、また図３（ｂ）の右下側に示すように、一又は複数の環状突起１２，２２を絡めて雄パーツ３０を玉結び等しても良い。【００３７】
なお図３（ａ）（ｂ）に示す例においては、挿通孔１３，２３の径と雄パーツ３０の太さとの関係（比較的きつめに挿通される場合等）によっては、挿通孔１３，２３と雄パーツ３０との間に生ずる摩擦力のために接合が容易に外れることはないので、あえて雄パーツ３０を結束しなくても良い。また雄パーツ３０を結束する代わりに、留め具を使用しても良い。【００３８】
また布地の接合分離構造１においては、図４（ａ）に示すように、比較的短い雄パーツ３０を複数使用し、該雄パーツ３０を対峙又は連接する環状突起１２，２２に形成される挿通孔１３，２３のうちの任意の一箇所又は複数箇所に挿通して結束するようにしても良く、この場合において、挿通孔１３，２３のうちの任意の一箇所又は複数箇所には雄パーツ３０を挿通しないようにしても良い。これによれば、雄パーツ３０の結束によって新たなデザインを創出することができる。【００３９】
また布地の接合分離構造１においては、図４（ｂ）の左側及び右側に示すように、環状突起１２を覆い隠すようなカバー部１４をベース部１１の表側及び／又は裏側に設けた雌パーツ１０と、環状突起２２を覆い隠すようなカバー部２４をベース部２１の表側及び／又は裏側に設けた雌パーツ２０とを使用し、図４（ｂ）の中央に示すように、雄パーツ３０を該雌パーツ１０に形成される挿通孔１３と該雌パーツ２０に形成される挿通孔２３とに交互に挿通するようにしても良い。これによれば、環状突起１２，２２を覆い隠すことにより布地の接合分離構造１が目立たないようなデザインを創出することができる。【００４０】
［２．第２実施形態に係る布地の接合分離構造１’］
第２実施形態に係る布地の接合分離構造１’は、図５（ａ）に示すように、雌パーツ１０’，雌パーツ２０’，及び雄パーツ３０の３点からなる。ここで雄パーツ３０は、第１実施形態と同様のものである。【００４１】
雌パーツ１０’は一方の被挿通部材の一例であって、複数の挿通孔１３’が予め形成され、一方の布地に取り付けられるものである。ここでの雌パーツ１０’は、図５（ａ）に示すように、ベース部１１’自体に挿通孔１３’が複数形成されており、ミシン縫いや手縫い等による縫合又は接着等により一方の布地に取り付けられる。この雌パーツ１０’は、図示しないが、第１実施形態の雌パーツ１０と同様にして、ロール状に巻回されている状態で商店に供給され、任意の長さにカットされて販売される。【００４２】
ベース部１１’は、図５（ａ）に示すように、所定長さにカットされた幅広紐状の部位である。このベース部１１’の幅は任意であり、例えば図５（ｂ）の左側に示すように、幅狭のベース部１１’であっても良く、また図５（ｂ）の右側に示すように、幅広のベース部１１’であっても良い。またベース部１１’の形状も任意であり、例えば図５（ｃ）に示すように、両側縁が波形状のベース部１１’であっても良く、また図示しないが、第１実施形態のベース部１１と同様にして、曲線に合わせやすいように、全体がカーブ状のベース部１１’であっても良く、また斜め方向（バイアス）にカットしたベース部１１’であっても良い。さらに図示しないが、ベース部１１’の色や柄，及び材質も任意である。【００４３】
挿通孔１３’は、図５（ａ）に示すように、雄パーツ３０を挿通可能な孔である。この挿通孔１３’は、ベース部１１’の材質が織物，フェルト，不織布，又は皮革である場合には、レーザや熱加工等により型抜きして形成され、糸かがりや金具等により補強することが好ましい。またベース部１１’の材質が編物（例えばニット）である場合には、挿通孔１３’が空いた状態で編むことができる。この挿通孔１３’が形成される位置は任意であり、例えば図５（ｄ）の左側に示すように、ベース部１１’の右側縁寄りに形成される挿通孔１３’であっても良く、また図５（ｄ）の右側に示すように、ベース部１１’の左側縁寄りに形成される挿通孔１３’であっても良い。また図示しないが、挿通孔１３’同士の間隔も任意である。また挿通孔１３’の形状も任意であり、例えば図５（ｅ）の上側に示すように、菱形の挿通孔１３’であっても良く、また図５（ｅ）の下側に示すように、四角形の挿通孔１３’であっても良い。【００４４】
雌パーツ２０’は他方の被挿通部材の一例であって、複数の挿通孔２３’が予め形成され、他方の布地に取り付けられるものである。ここでの雌パーツ２０’は、図５（ａ）に示すように、ベース部２１’自体に挿通孔２３’が複数形成されており、ミシン縫いや手縫い等による縫合又は接着等により他方の布地に取り付けられる。この雌パーツ２０’は、図示しないが、第１実施形態の雌パーツ２０と同様にして、ロール状に巻回されている状態で商店に供給され、任意の長さにカットされて販売される。【００４５】
ベース部２１’は、図５（ａ）に示すように、所定長さにカットされた幅広紐状の部位である。このベース部２１’の幅，形状，色や柄，及び材質が任意である点は、ベース部１１’と同様である。挿通孔２３’は、図５（ａ）に示すように、雄パーツ３０を挿通可能な孔である。この挿通孔２３’も、挿通孔１３’と同様にして形成される。また挿通孔２３’が形成される位置，間隔，及び形状が任意である点も、挿通孔１３’と同様である。【００４６】
そして布地の接合分離構造１’においては、前記雄パーツ３０を、一方の布地（図示外）に取り付けられた雌パーツ１０’の挿通孔１３’と、他方の布地（図示外）に取り付けられた雌パーツ２０’の挿通孔２３’とに挿通することにより、一方の布地と他方の布地が接合され、該雄パーツ３０を挿通孔１３’，２３’から引き抜くことにより、一方の布地と他方の布地とが分離される。【００４７】
まず図６（ａ）（ｂ）に示す例では、挿通孔１３’と挿通孔２３’とが合致するように雌パーツ１０’と雌パーツ２０’とを重ね合わせた状態で、一本の雄パーツ３０を雌パーツ１０’に形成される挿通孔１３’と雌パーツ２０’に形成される挿通孔２３’とに交互に挿通する。具体的には、雌パーツ１０’に形成される挿通孔１３’を上から順にＡ，Ｂ，Ｃとし、雌パーツ２０’に形成される挿通孔２３’を上から順にａ，ｂ，ｃとした場合に、図６（ａ）に示す例では、雄パーツ３０を上から下に向けてＡ，ａ，ｂ，Ｂ，Ｃ，ｃの順に交互に挿通し、図６（ｂ）に示す例では、雄パーツ３０を返し縫いの如くＢ，ｂ，ａ，Ａ，Ｃ，ｃ，ｂ，Ｂの順に交互に挿通する。なお雄パーツ３０は、結束してもしなくても良く、また雄パーツ３０を結束する代わりに、留め具を使用しても良い。【００４８】
また図６（ｃ）に示す例では、挿通孔１３’と挿通孔２３’とが対峙するように雌パーツ１０’と雌パーツ２０’とを並列に向かい合わせて並べた状態で、一本の雄パーツ３０を雌パーツ１０’に形成される挿通孔１３’と雌パーツ２０’に形成される挿通孔２３’とに交互に挿通する。具体的には、雌パーツ１０’に形成される挿通孔１３’を上から順にＡ，Ｂ，Ｃとし、雌パーツ２０’に形成される挿通孔２３’を上から順にａ，ｂ，ｃとした場合に、図６（ｃ）の左側に示す例では、雄パーツ３０をＣ，ｂ，Ａ，ａ，Ｂ，ｃの順に交互に挿通し、図６（ｃ）の右側に示す例では、雄パーツ３０をｃ，Ｂ，ｂ，Ａ，ａ，Ｃの順に交互に挿通する。なお雄パーツ３０は、結束してもしなくても良く、また雄パーツ３０を結束する代わりに、留め具を使用しても良い。【００４９】
また布地の接合分離構造１’おいては、図６（ｄ）に示すように、比較的短い雄パーツ３０を複数使用し、該雄パーツ３０を合致又は対峙する挿通孔１３’，２３’のうちの任意の複数箇所に挿通して結束するようにしても良く、この場合において、挿通孔１３’，２３’のうちの任意の箇所には雄パーツ３０を挿通しないようにしても良い。これによれば、雄パーツ３０の結束によって新たなデザインを創出することができる。【００５０】
また布地の接合分離構造１’においては、図６（ｅ）に示すように、挿通孔１３’を覆い隠すようなカバー部１４’をベース部１１’の表側及び／又は裏側に設けた雌パーツ１０’と、挿通孔２３’を覆い隠すようなカバー部２４’をベース部２１’の表側及び／又は裏側に設けた雌パーツ２０’とを使用し、図示しないが、雄パーツ３０を該雌パーツ１０’に形成される挿通孔１３’と該雌パーツ２０’に形成される挿通孔２３’とに交互に挿通するようにしても良い。これによれば、挿通孔１３’，２３’を覆い隠すことにより布地の接合分離構造１’が目立たないようなデザインを創出することができる。【００５１】
以上に説明した第１実施形態に係る布地の接合分離構造１又は第２実施形態に係る布地の接合分離構造１’によれば、一方の布地に取り付けられる一方の被挿通部材（雌パーツ１０，１０’）に予め形成された挿通孔（１３，１３’）と他方の布地に取り付けられる他方の被挿通部材（雌パーツ２０，２０’）に予め形成された挿通孔（２３，２３’）とに挿通部材（雄パーツ３０）が挿通されることにより、布地同士が容易に接合されると共に、該挿通孔から挿通部材が引き抜かれることにより、布地同士が容易に分離されるので、互いに接合された一方の布地と他方の布地とを分離した後に、当該各布地とは異なる別の布地と再度接合することにより、当該各布地を再利用することができ、任意の布地を自由に組み合わせて自由なデザインを創出することができる。また被挿通部材の材質を布地の材質と同質にすることにより、従来の布地の接合方法にあったような材質の硬さや異質感を拭い去ることができる。さらに布地に取り付けられる被挿通部材に予め挿通孔を形成したので、布地自体に挿通孔を形成する場合に比べて労力や時間が省け、生産性を向上できる。【００５２】
［３．被服］
次に図７〜図１５を参照して、第１実施形態に係る布地の接合分離構造１又は第２実施形態に係る布地の接合分離構造１’を用いて接合された装身具用の布地を含む装身具の一例である、被服１００，１１０，１２０，１３０，１４０，１５０，１６０，１７０について説明する。以下においては、該被服に、第１実施形態に係る布地の接合分離構造１を用いて接合された装身具用の布地が含まれる例について説明及び図示するが、第２実施形態に係る布地の接合分離構造１’を用いて接合された装身具用の布地が含まれるようにしても良い。【００５３】
図７は、布地の接合分離構造１を含む被服１００の一例を表す図であり、（ａ）は身頃パーツ１０３の形成方法，（ｂ）は袖パーツ１０４の形成方法である。まず図７（ａ）の上段左側に示すように、前身頃用の布地１０１ａを用意し、図７（ｂ）の上段中央に示すように、該前身頃用の布地１０１ａの両脇部及び両肩部の合計４箇所に雌パーツ１０を取り付けて、前身頃パーツ１０１を形成する。次に図７（ａ）の下段左側に示すように、後身頃用の布地１０２ａを用意し、図７（ｂ）の下段中央に示すように、該後身頃用の布地１０２ａの両脇部及び両肩部の合計４箇所に雌パーツ２０を取り付けて、後身頃パーツ１０２を形成する。そして図７（ａ）の右側に示すように、雄パーツ３０を前身頃パーツ１０１に取り付けられた雌パーツ１０に予め形成された挿通孔１３と後身頃パーツ１０２に取り付けられた雌パーツ２０に予め形成された挿通孔２３とに挿通することにより、前身頃パーツ１０１と後身頃パーツ１０２とを前記４箇所で接合して布地の接合分離構造１とし、身頃パーツ１０３を形成する。なお前身頃用の布地１０１ａに雌パーツ２０を取り付け、後身頃用の布地１０２ａに雌パーツ１０を取り付けるようにしても良い。【００５４】
また図７（ｂ）の左側に示すように、袖用の布地１０４ａを用意し、図７（ｂ）の中央に示すように、該袖用の布地１０４ａの一方の側縁部に雌パーツ１０を取り付けると共に他方の側縁部に雌パーツ２０を取り付け、図７（ｂ）の右側に示すように、該袖用の布地１０４ａを筒状にして、雄パーツ３０を袖用の布地１０４ａに取り付けられた雌パーツ１０に予め形成された挿通孔１３と袖用の布地１０４ａに取り付けられた雌パーツ２０に予め形成された挿通孔２３とに挿通することにより、袖用の布地１０４ａの両側縁部を接合して布地の接合分離構造１とし、袖下が布地の接合分離構造１により接合された袖パーツ１０４を形成する。【００５５】
図８は、布地の接合分離構造１を用いて接合された布地を含む被服１００の形成方法の一例を表す図である。まず図８の左側に示すように、前記図７（ａ）で形成された身頃パーツ１０３の両袖ぐり部分の合計２箇所に雌パーツ１０を取り付けると共に、前記図７（ｂ）で形成された袖パーツ１０４の袖山部分に雌パーツ２０を取り付け、図８の右側上段に示すように、雄パーツ３０を身頃パーツ１０３に取り付けられた雌パーツ１０に予め形成された挿通孔１３と袖パーツ１０４に取り付けられた雌パーツ２０に予め形成された挿通孔２３とに挿通することにより、身頃パーツ１０３と袖パーツ１０４とを前記２箇所で接合して布地の接合分離構造１とし、図８の右側下段に示すように、被服１００を形成する。なお身頃パーツ１０３に雌パーツ２０を取り付け、袖パーツ１０４に雌パーツ１０を取り付けるようにしても良い。【００５６】
ここで布地の接合分離構造１をデザインとして見せる場合には、該布地の接合分離構造１の幅寸法分を予めカットして、前身頃用の布地１０１ａ，後身頃用の布地１０２ａ，及び袖用の布地１０３ａを作るのが好ましい。また布地の接合分離構造１を外から見えないようにする場合には、仕立て方によって多少違うが、布地の接合分離構造１の幅寸法分を内側に引き込む分量を計算して、前身頃用の布地１０１ａ，後身頃用の布地１０２ａ，及び袖用の布地１０４ａを作るのが好ましい。【００５７】
図９（ａ）は、被服１００の分解の一例を表す図であり、図９（ｂ）は、該分解したパーツの再利用の一例（別パーツへの変更）を表す図である。まず図９（ａ）に示すように、前記図８で形成された被服１００の袖ぐり部分から雄パーツ３０を引き抜いて、該被服１００を１つの身頃パーツ１０３と２つの袖パーツ１０４とに分解する。【００５８】
次に図９（ｂ）の左側に示すように、半袖用の布地１０４ａ’を用意し、前記図７（ｂ）及び図８で説明した袖パーツ１０４の形成と同様にして、袖ぐり部分に雌パーツ２０を取り付けた半袖パーツ１０４’を形成する。そして図９（ｂ）の中央に示すように、雄パーツ３０を身頃パーツ１０３に取り付けられた雌パーツ１０に予め形成された挿通孔１３と半袖パーツ１０４’に取り付けられた雌パーツ２０に予め形成された挿通孔２３とに挿通することにより、身頃パーツ１０３と半袖パーツ１０４’とを前記２箇所で接合して布地の接合分離構造１とし、図９（ｂ）の右側に示すように、被服１００’を形成する。なお身頃パーツ１０３に雌パーツ２０を取り付け、半袖パーツ１０４’に雌パーツ１０を取り付けるようにしても良い。【００５９】
これによれば、袖部分だけを取り替えることで、図８に示す長袖の被服１００を図９（ｂ）に示す半袖の被服１００’に容易にリメイク加工できる。なお、この図９では、別パーツへの変更（取り替え）の一例として、袖パーツ１０４から半袖パーツ１０４’の変更について説明したが、その他にも、例えば上襟部分だけの変更でも良く、また上襟にデザインとして二つの切替カットラインを入れ、該切替カットラインの右又は左のパーツのみの変更でも良い。【００６０】
また別パーツへの変更は、図１０（ａ）に示すように、女性用パーツ１１１から男性用パーツ１１１’への変更でも良い。具体的には、女性用の被服１１０には、バストポイントに合わせたカットが施されている女性用パーツ１１１が、布地の接合分離構造１により接合されて含まれている。この女性用の被服１１０を分解して、女性用パーツ１１１を取り除き、該女性用パーツ１１１に代えて男性用パーツ１１１’を布地の接合分離構造１で接合することにより、男性用の被服１１１’を形成する。これによれば、前身頃部分を取り替えるだけで、女性用と男性用の特徴的な部分やサイズを変更して、女性用の被服１１０を男性用の被服１１０’に容易にリメイク加工できる。【００６１】
さらに別パーツへの変更は、図１０（ｂ）に示すように、柄ありパーツ１２１から柄なしパーツ１２１’への変更でも良い。具体的には、柄ありの被服１２０には、ストライプ状の柄ありパーツ１２１が、布地の接合分離構造１により接合されて含まれている。この柄ありの被服１２０を分解して、柄ありパーツ１２１を取り除き、該柄ありパーツ１２１に代えてストライプ状の柄なしパーツ１２１’を布地の接合分離構造１で接合することにより、柄なしの被服１２０’を形成する。これによれば、柄ありの被服１２０を柄なしの被服１２０’に容易にリメイク加工でき、同様にして材質や色の変更もできる。【００６２】
なお別パーツへの変更は、図示しないが、冬用の厚手のパーツから夏用の薄手のパーツ（例えばメッシュ）への変更でも良い。これによれば、季節毎に２着の被服を用意しなくても、パーツを取り替えるだけで、季節に合わせた被服とすることができる。【００６３】
図１１（ａ）は、被服１３０Ａ，１３０Ｂの分解の一例を表す図であり、図１１（ｂ）は、該分解したパーツの再利用の一例（パーツの交換）を表す図である。まず図１１（ａ）に示すように、前記図８と同様に形成された被服１３０Ａの袖ぐり部分から雄パーツ３０を引き抜いて、該被服１３０Ａを１つの身頃パーツ１０３Ａと２つの袖パーツ１０４Ａとに分解すると共に、前記図８と同様に形成された被服１３０Ｂの袖ぐり部分から雄パーツ３０を引き抜いて、該被服１３０Ｂを１つの身頃パーツ１０３Ｂと２つの袖パーツ１０４Ｂとに分解する。【００６４】
次に図１１（ｂ）に示すように、１つの身頃パーツ１０３Ａと２つの袖パーツ１０４Ｂとを布地の接合分離構造１で接合することにより、被服１３０Ａ’を形成すると共に、１つの身頃パーツ１０３Ｂと２つの袖パーツ１０４Ａとを布地の接合分離構造１で接合することにより、被服１３０Ｂ’を形成する。これによれば、デザインが異なる２着の被服（例えばカップルの被服）の間でパーツを交換するだけで、両被服を容易にリメイク加工できる。【００６５】
図１２（ａ）は、被服１４０の分解の一例を表す図であり、図１２（ｂ）は、該分解したパーツの再利用の一例（パーツの増加）を表す図である。この被服１４０には、図１２（ａ）に示すように、２つの胸部パーツ１４１及び２つの脇部パーツ１４２が、布地の接合分離構造１により接合されて含まれている。この被服１４０を分解して、図１２（ｂ）の左側に示すように、各々の胸部パーツ１４１と脇部パーツ１４２との間にストライプ状の増パーツ１４１’を布地の接合分離構造１で接合することにより、図１２（ｂ）の右側に示すように、被服１４０’を形成する。これによれば、被服に対して増パーツを組み込むだけで、該被服を容易に大きくできるので、例えば身体の成長に従って増パーツを組み込むことにより、気に入ったデザインの被服を子供から大人になるまで一貫して着ることができたり、また胎児の成長に従って増パーツを組み込むことにより、妊婦用の被服を妊娠初期から妊娠終期まで一貫して着ることができる。逆に被服から増パーツを取り除くだけで、該被服を容易に小さくできるので、親が着ていた被服を子供に着せることもできる。このような被服の大きさの調整は、増パーツの単位を小さくすればするほど、微調整が可能である。【００６６】
図１３は、被服１５０の他の例（被服が一方の被挿通部材，他方の被挿通部材，及び挿通部材からなるもの）を表す図である。この被服１５０は、図１３の上側に示すように、雌パーツ１０の環状突起１２が突設されている反対側縁と雌パーツ２０の環状突起２２が突設されている反対側縁とが接合されてなる布地パーツ１５１のみからなるものであり、該布地パーツ１５１を雄パーツ３０で接合することにより、図１３の下側に示すように、被服１５０を形成する。即ち、この図１３では、雌パーツ１０のベース部１１自体及び雌パーツ２０のベース部２１自体が布地としての役割を果たすものであり、換言すれば、雌パーツ１０が一方の布地と一体に形成されてなり、雌パーツ２０が他方の布地と一体に形成されてなるものである。これによれば、布地パーツ１５１をブロックのように組み合わせることで、被服を形成することができる。【００６７】
図１４は、被服１６０の他の例（布地の接合分離構造１を「あき」として用いたもの）を表す図である。この被服１６０には、図１４の上段に示すように、着脱を容易にするために前身頃に形成されている「あき」の部分において、通常はファスナーやボタンが用いられるところ、布地の接合分離構造１が用いられている。具体的には、図１４の下段に示すように、前身頃の右側（向かって左側）縁部に雌パーツ１０が取り付けられていると共に、前身頃の左側（向かって右側）縁部に雌パーツ２０が取り付けられており、両雌パーツ１０，２０が雄パーツ３０により接合されている。そして、この布地の接合分離構造１から雄パーツ３０を順次引き抜くことにより、「あき」の部分が開くようになっている。なお布地の接合分離構造１を「あき」として用いる部分は、前身頃には限られず、袖口等であっても良い。【００６８】
図１５は、被服１７０の他の例（布地の接合分離構造１をダーツやタックとして用いたもの）を表す図である。この被服１７０には、図１７の左側に示すように、前身頃の内陸部における上から下にかけて、所定の間隔をあけて雌パーツ１０及び雌パーツ２０が取り付けられている。そして、図１５の右側に示すように、両雌パーツ１０，２０を雄パーツ３０により接合して絞ることにより、ダーツやタックが形成されるようになっている。なお布地の接合分離構造１をダーツやタックとして用いる部分は、前身頃には限られず、例えばパンツやスカート等であっても良い。【００６９】
以上に説明した被服によれば、本発明に係る布地の接合分離構造１，１’を用いて接合された布地を含むことにより、布地同士が容易に接合されると共に、布地同士が容易に分離されるので、任意の布地を自由に組み合わせて自由なデザインの被服を創出することができる。これにより、いわゆる３Ｒ（リユース，リサイクル，リデュース）はもちろんのこと、ユニバーサル，サイズレス，エイジレス，ユニセックス，デザインレス，フリーデザイン，セルフデザイン，リメイク，セルフメイク等のキーワードを実現可能な被服の製造システムを構築できる。この被服の製造システムは、既製品と注文品の双方の良さだけを生かした中間的なシステムであり、第三の産業を促すものである。【００７０】
即ち、被服を構成する各パーツは量産品でありながら、組み合わせを自由に楽しめ、パッチワークのような被服の製作ができると共に、ユーザー自らが容易に手早く作り替えでき、ユーザー個々のオリジナルを実現できる。該作り替えは、メーカーレベル，小売店レベル，及びユーザーレベルのいずれにおいても可能である。またスタイリストは、既製品の中から選択してコーディネイトをするのが主たる仕事であったところ、本発明によれば、単に既製品の中から選択するだけではなく、自らの感性に応じた自由なデザインを創出できるので、仕事の幅を広げることができる。またリサイクルやリメイク加工を繰り返しても、布地本体を傷めることがない。またシーズン性に関係なく各パーツの組み合わせで新作ができ、パーツ毎のデザインは一度作れば流行等で廃ることがなくなるので、ストックとして資産になると共に、在庫整理や製造業としての無駄がなくなる。また市販の被服に後からこの布地の接合分離構造１，１’を取り付けて、オプションパーツを取り付けるようにすることもできる。さらに布地の接合分離構造１，１’を構成する各パーツである被挿通部材や挿通部材は、その形状によってはそれ自体が装飾としても機能するため、美的効果も奏するものである。【００７１】
なお、以上の説明では、本発明に係る布地の接合分離構造１，１’が、被服に適用される例について説明したが、該被服以外の装身具、即ち前述した動物用の被服，各種アクセサリー，バッグ，靴，又は帽子等にも同様に適用可能である。また図示しないが、本発明に係る布地の接合分離構造１，１’は、インテリア用品、即ち前述したソファ，カーテン，カーペット，寝具等にも同様に適用可能である。【００７２】
［４．変形例］
最後に、本発明の変形例について説明する。【００７３】
上記の実施形態では、図１（ｂ）に示すように、被挿通部材や挿通部材が、ロール状に巻回されている状態で商店に供給され、任意の長さにカットされて販売される例について説明したが、これに限らず、被挿通部材や挿通部材が、予め所定の長さにカットされている状態で商店に供給されて販売されるようにしても良い。【００７４】
上記の実施形態では、被挿通部材が縫合や接着により布地に取り付けられる例について説明したが、これに限らず、被挿通部材を各種ファスナー，ボタン，スナップボタン，又は面ファスナー等により布地に取り付けるようにしても良く、これによれば、被挿通部材と布地との分離も容易になる。また上記の実施形態において、被挿通部材が後から布地に取り付けられるのではなく、一方の被挿通部材が一方の布地と一体に形成され、他方の被挿通部材が他方の布地と一体に形成されてなるものであっても良い。【００７５】
上記の実施形態では、挿通部材（雄パーツ３０）が軟質の紐状部材である例について説明したが、これに限らず、挿通部材は、例えば硬質の棒状部材であっても良く、また形状記憶合金をはじめとする金属であっても良い。【００７６】
上記の実施形態では、図３（ａ）に示す例において、雌パーツ１０に形成される挿通孔１３を上から順にＡ，Ｂ，Ｃとし、雌パーツ２０に形成される挿通孔２３を上から順にａ，ｂ，ｃとした場合に、一本の雄パーツ３０をＣ，ｂ，Ａ，ａ，Ｂ，ｃの順に交互に挿通する例について説明したが、これに限らず、二本の雄パーツ３０を使用し、一方の雄パーツ３０をＡ，ｂ，Ｃの順に交互に挿通すると共に、他方の雄パーツ３０をａ，Ｂ，ｃの順に交互に挿通するようにしても良い。【００７７】
上記の実施形態において、被服を構成する各パーツのうちのおおまかなパーツ（例えば袖，襟，前身頃，後身頃，及び脇身頃等）は通常通りに縫合して立体パーツを作り、その他のパーツのみ（例えば上襟）を布地の接合分離構造１，１’により接合するようにしても良い。【００７８】
上記の実施形態では、図８の左側に示すように、袖パーツ１０４の袖ぐりに雌パーツ２０を取り付ける例について説明したが、これに限らず、図７（ｂ）の左側に示す袖用の布地１０３ａの袖ぐりに予め雌パーツ２０を取り付けてから、図７（ｂ）の右側に示す袖パーツ１０４を形成するようにしても良い。【００７９】
上記の実施形態では、図１３に示すように、雌パーツ１０の環状突起１２が突設されている反対側縁と雌パーツ２０の環状突起２２が突設されている反対側縁とが接合されて布地パーツ１５１が形成される例について説明したが、これに限らず、１枚の布地の一方縁に環状突起１２を突設すると共に他方縁に環状突起２２を突設することにより布地パーツ１５１が形成されるようにしても良く、これによれば、図１３に示すような中央の接合線が無くなるので、デザイン的に有効である。さらに一歩進めて、１枚の布地の全周縁に環状突起（環状突起１２であるか環状突起２２であるかを問わない）を突設した布地パーツを形成し、該布地パーツをブロックのように組み合わせることで、被服用のパーツを形成したり、被服自体を形成するようにしても良い。【００８０】
以上に説明した布地の接合分離構造１の変形例として、例えば図１６に示すようにしても良い。まず図１６（ａ）は、左側から順に、中心線上に複数の穴をあけた長方形状の布地を用意し、該布地を中心線で折り畳むことにより前記穴の空いていない部分が環状突起１２，２２を成す雌パーツ１０，２０を形成し、環状突起１２と環状突起２２とが上下方向に交互に連接するように雌パーツ１０と雌パーツ２０とを並列に向かい合わせて並べ、一本の雄パーツ３０を雌パーツ１０に形成される挿通孔１３と雌パーツ２０に形成される挿通孔２３とに交互に挿通して、両雌パーツ１０，２０を引き離すものである。この例において、雄パーツ３０を挿通してから両雌パーツ１０，２０を引き離すのではなく、両雌パーツ１０，２０が離れている状態で雄パーツ３０を挿通するようにしても良い。【００８１】
ここで雌パーツ１０，２０のベース部１１，２１の材質が織物，フェルト，不織布，又は皮革である場合には、レーザや熱加工等により型抜きして前記中心線上の複数の穴が形成されるが、該ベース部１１，２１の材質がニット地である場合には、図１７に示すように、挿通孔１３，２３となる立体的な複数のループ孔１３ａ、２３ａが空いた状態で編むことができる。【００８２】
具体的には、従来からあるニット製品の製造技術（手編みによる方法，又は機械では横編機による方法）において、立体的な凹凸構造の表面効果を出すために用いられてきた編み出し技術の応用で、糸の編目を増す部分と通常の数の編み目とを直線上に交互に連ねて編み出す。即ち通常は、横方向にループまたは鎖状の連綴が進むところ、予めプログラムされた前記糸の編目を増す部分では、局所的に糸が左右に細かくいきわたり、その隣り合う編み目は、通常の数の編み目とする作業を続ける。これによって、従来のニット技術によるホールを意図的に作り出す編み出し方法を用いずに、土台は平面でありながら、突起の連続した部分を持ち、立体的な半月状のゆるみ（ループ孔１３ａ，２３ａ）が自然にできる編み地が形成される。【００８３】
このようにして、複数のループ孔１３ａが一直線上（ここでは中心線上）で立体的に形成されたニット地のベース部１１を当該直線に沿って折り曲げる（折り畳む）ことにより、各ループ孔１３ａが挿通孔１３を構成する雌パーツ１０を形成することができる。また複数のループ孔２３ａが一直線上（ここでは中心線上）で立体的に形成されたニット地のベース部２１を当該直線に沿って折り曲げる（折り畳む）ことにより、各ループ孔２３ａが挿通孔２３を構成する雌パーツ２０を形成することができる。なお、平面のベース部１１，２１を折り畳むのではなく、該ベース部１１，２１が最初から折り畳まれた形で編んだ雌パーツ１０，２０を形成するようにしても良く、さらにこの場合には、ベース部１１，２１が二重になるのではなく、前記図２（ｅ）に示す如く、ベース部１１，２１が一枚になるような形で編んだ雌パーツ１０，２０を形成するようにしても良い。【００８４】
また図１６（ｂ）は、二本の紐状部材の間に梯子のステップの如く布が掛け渡されている布地を用意し、該布地を中心線で折り畳むことにより前記ステップの部分が環状突起１２，２２を成す雌パーツ１０，２０を形成し、両雌パーツ１０，２０に雄パーツ３０を挿通するものである。また図１６（ｃ）は、図１６（ａ）に示す雌パーツ１０と、図２（ｅ）に示す雌パーツ１０と同様の雌パーツ２０に、雄パーツ３０を挿通するものである。また図１６（ｄ）は、縄梯子の如き形状の布地を用意し、該布地を中心線で折り畳むことにより前記縄梯子のステップの部分が環状突起１２，２２を成す雌パーツ１０，２０を形成し、環状突起１２と環状突起２２とが対峙するように雌パーツ１０と雌パーツ２０とを並列に向かい合わせて並べ、複数の雄パーツ３０で対峙する各環状突起１２，２２を結束するものである。【００８５】
なお、以上に説明したすべての布地の接合分離構造１，１’において、挿通孔に対する雄パーツ３０の挿通は、図１６（ｅ）に示すような、マッチ棒状の硬質部材からなる専用の挿通用器具３１を用いるようにしても良い。この挿通用器具３１の終端側に雄パーツ３０の先端部を結びつけて、該挿通用器具３１ごと挿通孔に挿通することにより雄パーツ３０を挿通孔に挿通し、挿通し終わったら雄パーツ３０から挿通用器具３１を取り外すようにして使用すると、挿通孔に対して雄パーツ３０をスムーズに挿通できる。
【図面の簡単な説明】
【００８６】
【図１】図１（ａ）は本発明の第１実施形態に係る布地の接合分離構造を構成する雌パーツ及び雄パーツの一例を表す図であり、図１（ｂ）は該雌パーツ及び雄パーツの供給例を表す図である。
【図２】図２（ａ）〜（ｅ）は本発明の第１実施形態に係る布地の接合分離構造を構成する雌パーツの他の例を表す図であり、図２（ｆ）は同雄パーツの他の例を表す図である。
【図３】図３（ａ），（ｂ）は本発明の第１実施形態に係る布地の接合分離構造の一例を表す図である。
【図４】図４（ａ），（ｂ）は本発明の第１実施形態に係る布地の接合分離構造の他の例を表す図である。
【図５】図５（ａ）は本発明の第２実施形態に係る布地の接合分離構造を構成する雌パーツ及び雄パーツの一例を表す図であり、図５（ｂ）〜（ｅ）は同雌パーツの他の例を表す図である。
【図６】図６（ａ）〜（ｃ）は本発明の第２実施形態に係る布地の接合分離構造の一例を表す図であり、図６（ｄ），（ｅ）は本発明の第２実施形態に係る布地の接合分離構造の他の例を表す図である。
【図７】図７は本発明に係る布地の接合分離構造を含む被服の一例を表す図であり、（ａ）は身頃パーツの形成方法，（ｂ）は袖パーツの形成方法である。
【図８】図８は本発明に係る布地の接合分離構造を用いて接合された布地を含む被服の形成方法の一例を表す図である。
【図９】図９（ａ）は本発明に係る被服の分解の一例を表す図であり、図９（ｂ）は該分解したパーツの再利用の一例（別パーツへの変更）を表す図である。
【図１０】図１０（ａ），（ｂ）は別パーツへの変更の他の例を表す図である。
【図１１】図１１（ａ）は本発明に係る被服の分解の一例を表す図であり、図１１（ｂ）は該分解したパーツの再利用の一例（パーツの交換）を表す図である。
【図１２】図１２（ａ）は本発明に係る被服の分解の一例を表す図であり、図１２（ｂ）は該分解したパーツの再利用の一例（パーツの増加）を表す図である。
【図１３】図１３は本発明に係る被服の他の例（被服が一方の被挿通部材，他方の被挿通部材，及び挿通部材からなるもの）を表す図である。
【図１４】図１４は本発明に係る被服の他の例（布地の接合分離構造を「あき」として用いたもの）を表す図である。
【図１５】図１５は本発明に係る被服の他の例（布地の接合分離構造をダーツやタックとして用いたもの）を表す図である。
【図１６】図１６は本発明に係る布地の接合分離構造の変形例を表す図である。
【図１７】図１７は雌パーツの形成方法の変形例を表す図である。
【符号の説明】
【００８７】
１…布地の接合分離構造
１０…雌パーツ（一方の被挿通部材）
１１…ベース部
１２…環状突起
１３…挿通孔
１３ａ…ループ孔
１４…カバー部
２０…雌パーツ（他方の被挿通部材）
２１…ベース部
２２…環状突起
２３…挿通孔
２３ａ…ループ孔
２４…カバー部
３０…雄パーツ（挿通部材）
１００…被服
【図１】
2006118151.tif 000002
【図２】
2006118151.tif 000003
【図３】
2006118151.tif 000004
【図４】
2006118151.tif 000005
【図５】
2006118151.tif 000006
【図６】
2006118151.tif 000007
【図７】
2006118151.tif 000008
【図８】
2006118151.tif 000009
【図９】
2006118151.tif 000010
【図１０】
2006118151.tif 000011
【図１１】
2006118151.tif 000012
【図１２】
2006118151.tif 000013
【図１３】
2006118151.tif 000014
【図１４】
2006118151.tif 000015
【図１５】
2006118151.tif 000016
【図１６】
2006118151.tif 000017
【図１７】
2006118151.tif 000018
【国際調査報告】
2006118151.tif 000019
2006118151.tif 000020
2006118151.tif 000021
2006118151.tif 000022